(57)【要約】【課題】受信される電波の強度の判断が容易に可能である情報処理装置を提供することを目的とする。【解決手段】無線モジュール１１はアンテナ５と接続されており、このアンテナ５を介して受信した電波の強度の検出を行なっている。この検出された電波の強度がコントローラ１２に入力される。またコントローラ１２に設けられるレジスタ１２ａに、ＬＥＤ９の色変化、点灯、点滅等の制御を行なうためのテーブルを準備する。ＬＥＤ９の発光状態は、コントローラ１２から出力される受信電波強度に対応したＬＥＤ発光状態変化制御信号に基づき変化する。【選択図】　図２
2004104630.tif 000002
【特許請求の範囲】
【請求項１】
本体と、
前記本体に設けられ、電波を受信可能な受信部と、
前記受信部で受信された電波の状態を検出する検出部と、
前記検出部で検出された前記電波の状態に基づき発光する発光体と、
を具備することを特徴とする情報処理装置。
【請求項２】
発光体を有する本体と、
前記本体に設けられ、電波を受信可能な受信部と、
前記受信部で受信された電波の状態を検出する検出部と、
前記検出部で検出された前記電波の状態に基づき前記発光体の発光状態を変化させる制御部と、
を具備することを特徴とする情報処理装置。
【請求項３】
前記本体に設けられ、前記本体の電源をオン／オフする電源スイッチと、
前記本体に設けられ、前記電源スイッチがオフ状態の場合、少なくとも前記受信部、前記検出部および前記発光体の電源をオン／オフする操作部と、
を具備することを特徴とする請求項１に記載した情報処理装置。
【請求項４】
前記本体に設けられ、前記本体の電源をオン／オフする電源スイッチと、
前記本体に設けられ、前記電源スイッチがオフ状態の場合、少なくとも前記受信部、前記検出部、前記制御部および前記発光体の電源をオン／オフする操作部と、
を具備することを特徴とする請求項２に記載した情報処理装置。
【請求項５】
前記本体に設けられ、前記受信部および前記検出部以外の構成部品の電源をオン／オフする電源スイッチと、
前記本体に設けられ、前記電源スイッチがオン状態の場合、前記受信部および前記検出部の電源をオン／オフし、前記電源スイッチがオフ状態の場合、少なくとも前記受信部、前記検出部および前記発光体の電源をオン／オフする操作部と、を具備することを特徴とする請求項１に記載した情報処理装置。
【請求項６】
前記本体に設けられ、前記受信部および前記検出部以外の構成部品の電源をオン／オフする電源スイッチと、
前記本体に設けられ、前記電源スイッチがオン状態の場合、前記受信部および前記検出部の電源をオン／オフし、前記電源スイッチがオフ状態の場合、少なくとも前記受信部、前記検出部、前記制御部および前記発光体の電源をオン／オフする操作部と、
を具備することを特徴とする請求項２に記載した情報処理装置。
【請求項７】
前記本体に設けられ、前記本体がスリープ状態の場合、少なくとも前記受信部、前記検出部および前記発光体に電力を供給する電力供給部と、を具備することを特徴とする請求項１に記載した情報処理装置。
【請求項８】
前記本体に設けられ、前記本体がスリープ状態の場合、少なくとも前記受信部、前記検出部、前記制御部および前記発光体に電力を供給する電力供給部と、
を具備することを特徴とする請求項２に記載した情報処理装置。
【請求項９】
前記発光体はＬＥＤであることを特徴とする請求項１ないし請求項８のいずれかに記載した情報処理装置。
【請求項１０】
前記発光体は発光色が変化させられることを特徴とする請求項１ないし請求項８のいずれかに記載した情報処理装置。
【請求項１１】
前記発光体は点滅により発光状態が変化させられることを特徴とする請求項１ないし請求項８いずれかに記載した情報処理装置。
【請求項１２】
前記制御部は前記電波の状態と前記発光体の発光状態とを対応付けたテーブルを具備することを特徴とする請求項２、４、６および８のいずれかに記載した情報処理装置。
【請求項１３】
前記情報処理装置は、前記テーブルの内容を変更する手段を具備したことを特徴とする請求項１２に記載した情報処理装置。
【請求項１４】
前記検出部は電波強度を検出することを特徴とする請求項１ないし請求項１３に記載した情報処理装置。
【請求項１５】
前記検出部はエラーレートを検出することを特徴とする請求項１ないし請求項１３に記載した情報処理装置。
【請求項１６】
前記検出部は希望信号対干渉妨害信号比を検出することを特徴とする請求項１ないし請求項１３に記載した情報処理装置。
【発明の詳細な説明】
【０００１】
【発明の属する技術分野】
本発明は、情報処理装置に関し、特に無線モジュールを装備した情報処理装置における受信電波強度表示機能に関する。
【０００２】
【従来の技術】
携帯電話等の無線情報処理装置は、ＬＣＤ（Ｌｉｑｕｉｄ　Ｃｒｙｓｔａｌ　Ｄｉｓｐｌａｙ）上に受信電波強度を通知する専用アイコンを備えている。使用者は、この専用アイコンの表示変化によって受信した電波の強弱、つまり無線接続レベル状況を認識している。
【０００３】
しかし、パーソナルコンピュータ等を含む情報処理装置に装備される無線モジュール（例えば無線ＬＡＮ、Ｂｌｕｅｔｏｏｔｈ等）は、この無線モジュールの電源のオン／オフ状況を通知するＬＥＤ、もしくは無線の接続中を通知するＬＥＤしか装備していない。
【０００４】
従って、無線モジュールを装備する情報処理装置がＬＣＤ上の専用アイコンによる受信電波強度通知機能を有していない場合、使用者は受信電波強度を確認することが困難である。また、無線モジュールを装備した情報処理装置がＬＣＤ上の専用アイコンを有している場合でも、このＬＣＤを使用していない状態であれば、専用アイコンも使用不可能であるため、使用者は受信電波強度を確認することが困難である。上記構成においては、情報処理装置を使用する場所における受信電波の強度を認識することが困難である、という問題があった。受信状態を検出するための受信状態検出手段と受信状態劣化報知手段とを具備し、この受信状態劣化報知手段を用いて、受信状態検出手段で検出された受信状態が予め設定された所定の閾値よりも劣化した場合に、その旨をＬＣＤに報知するものもある（特許文献１参照。）。
【０００５】
【特許文献１】
特開平５−３００１１号公報
【０００６】
【発明が解決しようとする課題】
しかしながら、上記のような文献１に記載の情報処理装置において、受信電波状態を受信圏内、受信圏外としてＬＣＤに報知しているため、上述したようにＬＣＤが未使用状態である場合は、受信電波強度を認識することが困難である。
【０００７】
そこで本発明は上記問題を鑑みて、受信される電波の強度を容易に認識可能である情報処理装置を提供することを目的とする。
【０００８】
【課題を解決するための手段】
上記目的を達成するために、本発明の情報処理装置では、本体と、本体に設けられ、電波を受信可能な受信部と、受信部で受信された電波の状態を検出する検出部と、検出部で検出された前記電波の状態に基づき発光する発光体とを具備することを特徴とする。
【０００９】
上記の構成により、受信される電波の強度の判断が容易に可能である。
【００１０】
【発明の実施の形態】
以下、本発明に係る実施の形態を、パーソナルコンピュータ（情報処理装置）に適用して説明する。
【００１１】
図１は本発明における情報処理装置１を表す斜視図である。情報処理装置１は表示部４と本体６とで構成されており、本体６の上面に入力部３が設けられている。この入力部３は例えばキーボードである。入力部３を用いて入力されたデータが表示部４に設けられたＬＣＤ２に表示される。さらに電波を受信するためにアンテナ５が表示部４に設けられる。このアンテナ５は情報処理装置１内部又は情報処理装置１外部のいずれに設けてもよい。また、情報処理装置１に拡張スロット等が備わっているなら、このアンテナ５は情報処理装置１に予め設けておく必要がなく、アンテナ機能を内蔵した拡張カード等を情報処理装置１に装着することによりアンテナ５を設けてもよい。本体電源スイッチ７は本体６の側部などの操作しやすい箇所に設ける。この本体電源スイッチ７をオンにすると受信電波強度を表示させるために少なくとも必要なモジュール群に電力が供給される。電波強度確認スイッチ（操作部）８は、本体電源スイッチ７をオンにしない状態時において、受信電波強度を表示させるために少なくとも必要なモジュール群の電源をオン／オフするスイッチである。ＬＥＤ９は表示部４を閉じてもその発光状態を認識することが可能である箇所に設けられる。このＬＥＤ９には互いに色の異なる複数のＬＥＤ発光素子が内蔵されている。なおＬＥＤ９の代わりに、発光状態が変化する他の発光体を用いても良い。本発明における情報処理装置１の本体電源スイッチ７もしくは電波強度確認スイッチ８をオンにして、受信電波強度表示が開始されると、この受信電波強度に基いて、後述する制御方法によりＬＥＤ９の発光状態が制御される。
【００１２】
図２は本発明におけるハードウェアのシステムブロック図である。ＣＰＵ１０はこのシステム全体を制御するものである。ＣＰＵ１０は無線モジュール１１、コントローラ１２、メモリ１３、グラフィックスコントローラ１６それぞれと結ばれている。無線モジュール１１はアンテナ５と接続されており、このアンテナ５を介して受信した電波の強度の検出を行なっている。コントローラ１２はパワーサプライコントローラ（以下ＰＳＣと称す。）１４と共同して、主に情報処理装置１の電源状態の管理を行う。このコントローラ１２及びＰＳＣ１４には本体電源スイッチ７がオフされて、停止状態もしくはスリープ状態（ハイバネーション状態またはサスペンド状態。）へ移行しても、情報処理装置１に装着されているＡＣ電源もしくはバッテリから動作電力が供給される。なお、ハイバネーション状態は情報処理装置の電源をオフにする直前の状態を内蔵されたハードディスク上に保存している状態であり、またサスペンド状態は情報処理装置の電源をオフにする直前の状態を保存している状態である。コントローラ１２には本体電源スイッチ７及び電波強度確認スイッチ８が接続されている。この電波強度確認スイッチ８がオンにされると、本体電源スイッチ７がオンされていない状態で、ＰＳＣ１４は、少なくとも無線モジュール１１、コントローラ１２、ＬＥＤ９に電力を供給する。またコントローラ１２に設けられるレジスタ１２ａに、ＬＥＤ９の色変化、点灯、点滅等の制御を行なうためのテーブルを準備する。ＬＥＤ９の発光状態は、コントローラ１２から出力される受信電波強度に対応したＬＥＤ発光状態変化制御信号に基づき変化する。さらにコントローラ１２は入力部コントローラ１５と接続されており、この入力部コントローラ１５は入力部３を制御している。
ＣＰＵ１０と接続されているメモリ１３は、このシステムの主記憶として使用されるものであり、オペレーティングシステム、アプリケーションプログラム、及びアプリケーションプログラムによって作成されたデータ等が格納される。メモリ１３と同様、ＣＰＵ１０と接続されているグラフィックコントローラ１６は、ＬＣＤ２と接続されており、このＬＣＤ２を制御している。
【００１３】
図３は無線モジュール１１内部のシステムブロック図である。電波送受信部１７はアンテナ５を介して、通信相手情報処理装置から送信される電波を受信する受信部と、送信用の信号をアンテナ５へ供給する送信部とで構成される。受信電波強度検出部１８は電波送受信部１７から出力される受信電波の強度を電圧値として検出する。受信電波強度レベル判定部１９には受信電波強度検出部１８で検出された受信電波の強度（電圧値）が入力され、その受信電波の強度の値に基いてレベル付けが行なわれる。このレベル付けは、受信電波の強度の値と受信電波強度レベル判定部１９に予め設定されている閾値とを比較することで行なわれる。受信電波強度レベル判定部１９にてレベル付けされた受信電波強度レベル値はコントローラ１２に入力される。
【００１４】
図４は無線モジュール１１、コントローラ１２、ＬＥＤ９およびメモリ１３との関係を示した図である。無線モジュール１１からコントローラ１２へ受信電波強度のレベル値が入力される。コントローラ１２に設けられるレジスタ１２ａ上でＬＥＤ９の発光状態を制御する信号に変換される。この信号はスイッチ部（以下ＳＷ部と称す。）１２ｂに入力される。ＳＷ部１２ｂは信号線２１に設けられたスイッチ２１ａ、信号線２２に設けられたスイッチ２２ａおよび信号線２３に設けられたスイッチ２３ａを有する。またＳＷ部１２ｂはレジスタ１２ａと信号線２０で接続されている。この信号線２０は、ＬＥＤ９の点滅の制御を行なう。コントローラ１２からＬＥＤ９へＬＥＤ９の発光状態を制御する信号が入力される。ＬＥＤ９は赤色ＬＥＤ素子２４、青色ＬＥＤ素子２５および緑色ＬＥＤ素子２６のように互いに異なる色を発色するＬＥＤ素子を有する。赤色ＬＥＤ素子２４はレジスタ１２ａと信号線２１を用いて接続され、青色ＬＥＤ素子２５はレジスタ１２ａと信号線２２を用いて接続され、緑色ＬＥＤ素子２６はレジスタ１２ａとレジスタ１２ａと信号線２３を用いて接続される。赤色ＬＥＤ素子２４はスイッチ２１ａをオン／オフすることで発光状態が制御され、青色ＬＥＤ素子２５はスイッチ２２ａをオン／オフすることで発光状態が制御され、緑色ＬＥＤ素子はスイッチ２３ａをオン／オフすることで発光状態が制御される。ＬＥＤ９の発光色はこれら赤色ＬＥＤ素子２４、青色ＬＥＤ素子２５および緑色ＬＥＤ２６の発光色を組み合わせて生成される。以下、これらのＬＥＤ素子の発色の組み合わせにより取り得るＬＥＤ９の発色の例を述べる。スイッチ２１ａのみをオンにして赤色ＬＥＤ素子２４を発色させＬＥＤ９は赤色を発色、スイッチ２２ａのみをオンにして青色ＬＥＤ素子２５を発色させＬＥＤ９は青を発色、スイッチ２３ａのみをオンにして緑色ＬＥＤ素子２６を発色させＬＥＤ９は緑を発色、スイッチ２１ａとスイッチ２２ａとをオンにして赤色ＬＥＤ素子２４と青色ＬＥＤ素子２５を発色させＬＥＤ９は紫を発色、スイッチ２２ａとスイッチ２３ａとをオンにして青色ＬＥＤ素子２５と緑色ＬＥＤ素子２６を発色させＬＥＤ９は水色を発色、スイッチ２１ａとスイッチ２３ａとをオンにして赤色ＬＥＤ素子２４と緑色ＬＥＤ素子を発色させＬＥＤ９は黄を発色、スイッチ２１ａとスイッチ２２ａとスイッチ２３ａとをオンにして赤色ＬＥＤ素子２４と青色ＬＥＤ素子２５と緑色ＬＥＤ素子２６を発色させＬＥＤ９は白を発色、という具合である。上記で説明したＬＥＤ９の発光状態の設定は、これらを設定するアプリケーションをメモリ１３に設けておくことにより、使用者の好みに基づいた設定を行なうことも可能である。図５、図６および図７を参照して、ＬＥＤ９の発光状態を設定するアプリケーションの説明を行なう。
【００１５】
図５はＬＥＤ９の発光状態を設定するアプリケーションの初期設定画面である。アプリケーションの設定画面はテーブルで表示される。このテーブルは受信電波強度レベル値Ｔ１とＬＥＤ発光状態Ｔ２とを対応づけて構成されている。受信電波強度レベル値Ｔ１はレベル１からレベル７まで受信電波の強度に基いてレベル分けがなされている。それぞれの受信電波強度レベル値Ｔ１に対し、使用者の好みに基づいたＬＥＤ発光状態Ｔ２を設定できる。
【００１６】
図６はＬＥＤ９の発光状態を設定するアプリケーションの設定画面例１である。図５と図６を比較すると、図６の受信電波強度レベル値Ｔ１に対応するＬＥＤ発光状態Ｔ２の値が変更されている。このように、アプリケーションを用いてユーザの好みに基づいて、ＬＥＤ発光状態Ｔ２を変更することが可能である。
【００１７】
図７はＬＥＤ９の発光状態を設定するアプリケーションの設定画面例２である。図５および図６を用いてＬＥＤ発光状態Ｔ２の設定内容が「発光色の点灯状態」である場合を示したが、図７で示すようにＬＥＤ発光状態Ｔ２の設定内容を「発光色の点灯状態」と「発光色の点滅状態」の両方を用いて設定することも可能である。このように点灯と点滅を組み合わせてＬＥＤ発光状態Ｔ２の設定を行なうと、同じ発光色を用いて、複数の受信電波強度レベルを使用者に通知することが可能となる。
【００１８】
図８はコントローラ１２のレジスタ１２ａの詳細を示す図である。レジスタ１２ａ上に発光色設定テーブル２８、点灯点滅設定テーブル２９および発光状態設定テーブル３０が設けられる。発光色設定テーブル２８および点灯点滅設定テーブル２９はこれらのテーブルの内容が変更不可能であるように設けられている。また発光色設定テーブル２８および点灯点滅設定テーブル２９は発光状態設定テーブル３０の内容を変更する時に用いられる。発光状態設定テーブル３０は受信電波強度のレベル値に基づいてＬＥＤ９の発光状態を変化させるテーブルである。この発光状態設定テーブル３０は、発光色設定テーブル２８、点灯点滅設定テーブル２９およびメモリ１３に設けられたアプリケーション２７の設定変更内容に基づいて、テーブルの内容が変更可能であるように設けられている。発光状態設定テーブル３０には予め初期設定内容が設定されており、この内容が変更されない限り、初期設定内容を保持した発光状態設定テーブル３０が参照される。しかし、発光色設定テーブル２８、点灯点滅設定テーブル２９およびアプリケーション２７の設定変更内容に基づいて、発光状態設定テーブル３０の内容が変更されると、次回使用時は、変更された発光状態設定テーブル３０の内容を参照して、ＬＥＤ９の発光状態が変化させられる。従ってコントローラ１２に電力が供給される状態では、発光状態設定テーブル３０を参照してＬＥＤ９の発光状態の制御を行なうことが可能である。図９を参照して発光色設定テーブル２８を説明する。
【００１９】
図９は発光色設定テーブル２８を表す。このテーブルはＬＥＤ発光色Ｔ３とＬＥＤ素子への信号Ｔ４とを対応づけて構成されている。ＬＥＤ発光色Ｔ３はＬＥＤ９に内蔵された赤色ＬＥＤ素子２４、青色ＬＥＤ素子２５および緑色ＬＥＤ素子２６の発色の組み合わせによって生成された色が設定されている。ＬＥＤへの信号Ｔ４は以下に記述する意味を持つ信号である。信号”１００”はスイッチ２１ａをオンにして赤色ＬＥＤ素子２４を発色させる意味を持つ信号である。信号”０１０”はスイッチ２２ａをオンにして青色ＬＥＤ素子２５を発色させる意味を持つ信号である。信号”００１”はスイッチ２３ａをオンにして緑色ＬＥＤ素子２６を発色させる意味を持つ信号である。信号”１００”および信号”０１０”を組み合わせた信号”１１０”はスイッチ２１ａおよびスイッチ２２ａをオンにして赤色ＬＥＤ素子２４および青色ＬＥＤ素子２５を同時に発色させ紫を発色させる意味を持つ信号である。信号”０１０”および信号”００１”を組み合わせた信号”０１１”はスイッチ２２ａおよびスイッチ２３ａをオンにして青色ＬＥＤ素子２５および緑色ＬＥＤ素子２６を同時に発色させ水色を発色させる意味を持つ信号である。信号”１００”および信号”００１”を組み合わせた信号”１０１”はスイッチ２１ａおよびスイッチ２３ａをオンにして赤色ＬＥＤ素子２４および緑色ＬＥＤ素子２６を同時に発色させ黄色を発色させる意味を持つ信号である。信号”１００”、信号”０１０”及び信号”００１”を組み合わせた信号”１１１”はスイッチ２１ａ、スイッチ２２ａおよびスイッチ２３ａをオンにして赤色ＬＥＤ素子２４、青色ＬＥＤ素子２５および緑ＬＥＤ素子２６を同時に発色させ白を発色させる意味を持つ信号である。発光色設定テーブル２８は発光状態設定テーブル３０の設定内容を変更する時に用いられる。発光色設定テーブル２８自身の設定内容が変更されることは無い。図１０を参照して点灯点滅設定テーブル２９を説明する。
【００２０】
図１０は点灯点滅設定テーブル２９を表す。このテーブルはＬＥＤ素子の発光状態Ｔ５とＬＥＤ素子の点灯点滅制御信号Ｔ６とを対応づけて構成されている。ＬＥＤ素子の発光状態Ｔ５は点灯および点滅の２通りの状態が準備される。ＬＥＤ素子の点灯点滅制御信号Ｔ６は、以下に記述する意味を持つ信号である。信号”１”はＬＥＤ素子の発光状態Ｔ５が点灯である意味を持ち、信号”０”はＬＥＤ素子の発光状態Ｔ５が点滅である意味を持つ。点灯点滅設定テーブル２９は発光状態設定テーブル３０の設定内容を変更する時に用いられる。点灯点滅設定テーブル２９自身の設定内容が変更されることは無い。図１１を参照して、発光状態設定テーブル３０の初期設定状態を説明する。
【００２１】
図１１は発光状態設定テーブル３０の初期設定状態を表す。このテーブルは受信電波強度レベル値Ｔ７とＬＥＤ素子の点灯点滅制御信号Ｔ８とＬＥＤ素子への信号Ｔ９とを対応づけて構成されている。受信電波強度レベル値Ｔ７のレベル１からレベル７までのそれぞれの値に対応するＬＥＤ素子の点滅点灯制御信号Ｔ８とＬＥＤ素子への信号Ｔ９とが、ＳＷ部１２ｂに出力される。この発光状態設定テーブル３０の初期設定状態における内容の場合、次のようにＬＥＤ素子が発光する。ＬＥＤ素子の点灯点滅制御信号Ｔ８は受信電波強度レベル値Ｔ７のどのレベル値においてでも１であるから、ＬＥＤ９は点灯状態である。またＬＥＤ素子への信号Ｔ９は受信電波強度レベル値７のレベル１からレベル７にかけて、順に”１００”、”１１０”、”０１０”、”０１１”、”００１”、”１０１”、”１１１”であるから、ＬＥＤ９は順に赤、紫、青、水色、緑、黄色、白を発光する。従ってレベル１からレベル７にかけるＬＥＤの発光状態は、順に赤点灯、紫点灯、青点灯、水色点灯、緑点灯、黄色点灯、白点灯という状態である。図１２および図１３を参照して、発光色設定テーブル２８、点灯点滅設定テーブル２９およびアプリケーション２７の設定変更内容に基づく発光状態設定テーブル３０の設定方法を説明する。
【００２２】
図１２は図６の設定に対応する発光状態設定テーブル３０の内容である。この図６に表すアプリケーション２７の設定内容に対応する発光状態設定テーブル３０の設定方法を説明する。まず、図６に示すように使用者の好みに基づいて受信電波強度レベル値Ｔ１のそれぞれのレベル値に対して、ＬＥＤ発光状態Ｔ２のそれぞれの状態を設定する。この内容がメモリ１３からコントローラ１２のレジスタ１２ａに出力される。次に、アプリケーション２７で設定されレジスタ１２ａに出力された内容に、発光色設定テーブル２８および点灯点滅設定テーブル２９を合体させることで、図１２に表す発光状態設定テーブル３０が生成される。例えを挙げて説明する。図６の受信電波強度レベル値Ｔ１のレベル１に対応するＬＥＤ発光状態Ｔ２は「白点灯」である。「白点灯」を意味する信号は、図９の発光色設定テーブル２８におけるＬＥＤ発光色Ｔ３の「白」に対応するＬＥＤ素子への信号Ｔ４の”１１１”と、図１０の点灯点滅設定テーブル２９におけるＬＥＤの発光状態Ｔ５の「点灯」に対応するＬＥＤ素子の点灯点滅制御信号Ｔ６の”１”とで表せる。従って、図１２の受信電波強度レベル値Ｔ７のレベル１に、ＬＥＤ素子の点灯点滅制御信号Ｔ８は”１”、ＬＥＤ素子への信号Ｔ９は”１１１”が対応づけられる。以上のようにして、受信電波強度レベル値Ｔ７のレベル１に限らない他のレベルにおいてでも、ＬＥＤ素子の点灯点滅制御信号Ｔ８とＬＥＤ素子への信号Ｔ９が設定される。
【００２３】
図１３は図７の設定に対応する発光状態設定テーブル３０の内容である。この図７に表すアプリケーション２７の設定内容に対応する発光状態設定テーブル３０の設定方法も図１２を参照して上記で説明した方法と同様である。このようにアプリケーション２７を通じて設定される受信電波強度レベル値Ｔ１とＬＥＤ発光状態Ｔ２を対応づけたテーブル、発光色設定テーブル２８および点灯点滅設定テーブル２９の３つのテーブルを用いると、発光状態設定テーブル３０の内容を初期設定状態から図１２および図１３に表すテーブルに変更することが可能である。
【００２４】
ここまで、本体電源スイッチ７がオン状態時のＬＥＤ９の発光状態変化による受信電波強度表示機能について説明した。次に、本体電源スイッチ７がオフ状態時において、図２で説明した電波強度確認スイッチ８をオンにして、受信電波強度表示を行なう場合のメリットを説明する。
本体電源スイッチ７がオフ状態で電波強度確認スイッチ８をオン状態にすると、少なくとも無線モジュール１１、コントローラ１２、ＬＥＤ９に電力が供給される。この場合と本体電源スイッチ７をオンにする場合とを比較すると、本体電源スイッチ７がオフ状態で電波強度確認スイッチ８をオン状態にする場合は、受信電波強度を表示させるために不必要なモジュール群に電力を供給する必要がないので、消費電力を減少させることになる。上記のような電波強度確認スイッチ８を設けることで、本体電源スイッチ７がオフ状態において無線強度確認スイッチ８をオンにして、まず良好な無線通信環境を測定し、その後、良好な無線通信環境において本体電源スイッチ７をオンにして、情報処理装置１を有効に使用することが可能である。
【００２５】
また、情報処理装置１がスリープ状態において、受信電波強度を表示させるために、ＰＳＣ１４に、少なくとも無線モジュール１１、コントローラ１２、ＬＥＤ９へ電力を供給する電力供給制御部を設けておくとよい。
【００２６】
本体電源オン時、本体電源オフ時、本体スリープ時の３つの状態を考慮して、図１４，図１５，図１６，図１７および図１８を参照して、受信電波強度表示機能利用を目的した本発明に係る情報処理装置１の使用手順を流れに従って各ステップごとに説明する。
図１４は本発明に係る情報処理装置１の使用開始から終了までを説明したフローチャートである。本情報処理装置１の使用開始にあたって、本体電源スイッチ７をオフ状態で保持するか、もしくは本体電源スイッチ７をオン状態にする（ステップＳ１）。本体電源スイッチ７をオフ状態で保持すると、本体電源スイッチ７がオフ状態時の受信電波強度表示処理に移行する（ステップＳ２）。本体電源スイッチ７をオンにすると、本体電源スイッチ７がオン状態時の受信電波強度表示処理に移行する（ステップＳ３）。本体電源スイッチ７がオン状態では、受信電波強度を表示させるために少なくとも必要なモジュール群に電力が供給されている状態であるから、本発明に係る情報処理装置１の使用の終了ではない。本体電源スイッチ７がオフ状態で、かつ電波確認スイッチ８もオフ状態である場合、受信電波強度を表示させるために少なくとも必要なモジュール群に電力が供給されない状態であるので、本発明に係る情報処理装置１の使用の終了となる。図１５を参照して本体電源スイッチ７がオン状態時の受信電波強度表示処理（ステップＳ３）を説明する。
【００２７】
図１５は本体電源スイッチ７がオン状態時の受信電波強度表示処理を説明したフローチャートである。本体電源スイッチ７がオン状態に移行すると、受信電波強度を表示させるために少なくとも必要なモジュール群に電力が供給され、受信電波強度表示が開始される（ステップＳ４）。本体電源スイッチ７がオン状態からスリープ状態に移行するか、もしくは本体電源スイッチ７がオン状態で保持されるかの選択（ステップＳ５）、本体電源スイッチ７がオン状態から本体電源スイッチ７がオフ状態に移行するか、もしくは本体電源スイッチ７がオン状態で保持されるか（ステップＳ１）の２通りのステップが選択可能である。（ステップＳ５）において、スリープ状態に移行する場合、スリープ状態時の受信電波強度表示処理に移行する（ステップＳ６）。スリープ状態時の受信電波強度表示処理に移行した（ステップＳ６）ので、本体電源スイッチ７がオン状態時の受信電波強度表示処理は終了される。一方、本体電源スイッチ７がオン状態で保持される場合、（ステップＳ１）に移行する。（ステップＳ１）において、本体電源スイッチ７がオフ状態に移行する場合、本体電源スイッチ７がオフ状態時の受信電波強度表示処理に移行する（ステップＳ２）。本体電源スイッチ７がオフ状態時の受信電波強度表示処理に移行した（ステップＳ２）ので、本体電源スイッチ７がオン状態時の受信電波強度表示処理は終了される。本体電源スイッチ７がオン状態で保持される場合、受信電波強度表示処理が引き続き行なわれる（ステップＳ４）。図１６を参照して、スリープ状態時の受信電波強度表示処理（ステップＳ６）を説明する。
【００２８】
図１６はスリープ状態時の受信電波強度表示処理を説明したフローチャートである。情報処理装置１がスリープ状態に移行すると、スリープ状態に作動する電力供給制御部が作動する（ステップＳ７）。すると受信電波強度を表示させるために少なくとも必要なモジュール群に電力が供給され、受信電波強度表示処理が開始される（ステップＳ４）。スリープ状態から、本体電源スイッチ７がオン状態に移行する場合か、もしくはスリープ状態で保持される場合の２通りの選択がある（ステップ８）。スリープ状態が保持される場合、受信電波強度表示処理が引き続き行なわれる（ステップＳ４）。スリープ状態から本体電源スイッチ７がオン状態に移行する場合、本体電源スイッチ７をオフ状態からオン状態にする（ステップＳ９）。本体電源スイッチ７をオン状態にすると、本体電源スイッチ７がオン状態時の受信電波強度表示処理に移行する（ステップ３）。本体電源スイッチ７がオン状態時の受信電波強度表示処理に移行した（ステップ３）ので、本体スリープ状態時の受信電波強度表示処理（ステップＳ３）は終了する。図１７を参照して、図１４および図１５を参照して説明したフローチャートのステップの一つである本体電源スイッチ７がオフ状態時の受信電波強度表示処理（ステップＳ２）を説明する。
【００２９】
図１７は本体電源スイッチ７がオフ状態時の受信電波強度表示処理を説明したフローチャートである。本体電源スイッチ７がオフ状態において、電波強度確認スイッチ８をオン状態にする場合とオン状態にしない場合との２通りの選択がある（ステップ１０）。電源強度確認スイッチ８をオン状態にしない場合、受信電波強度を表示させるために少なくとも必要なモジュール群に電力が供給されないので、本体電源スイッチ７がオフ状態時の受信電波強度表示処理（ステップＳ２）は終了する。電波強度確認スイッチ８をオン状態にする場合、受信電波強度を表示させるため少なくとも必要なモジュール群に電力が供給されるために、受信電波強度表示処理（ステップＳ４）が開始される。電波強度確認スイッチ８がオン状態からオフ状態に移行する場合か、オン状態を保持する場合かの２通りの選択がある（ステップＳ１０）。電波強度確認スイッチ８がオン状態を保持する場合、受信電波強度表示処理（ステップＳ２）が引き続き行なわれる。電波強度確認スイッチ８がオン状態からオフ状態に移行する場合、受信電波強度を表示させるために少なくとも必要なモジュール群への電力供給が遮断されるので、本体電源オフ状態時の受信電波強度表示処理（ステップＳ２）は終了する。最後に図１８を参照して、受信電波強度表示処理（ステップＳ４）を説明する。
【００３０】
図１８は受信電波強度表示を説明したフローチャートである。電波を受信してから受信電波強度レベルに基づいてＬＥＤ９が発光されるまでの手順を説明する。まず、アンテナ５を介し電波受信部で電波を受信する（ステップＳ１１）。受信された電波の強度を受信電波強度検出部１８において検出する（ステップＳ１２）。検出された受信電波強度のレベル付けを行い、コントローラ１２のレジスタ１２ａ上にある発光状態設定テーブル３０を用いて、ＬＥＤ発光表示状態を選択する（ステップＳ１３）。そして選択されたＬＥＤ発光状態に基づいてＬＥＤ９で発光が行なわれる（ステップＳ１４）。
【００３１】
以上、説明した構成からなる情報処理装置１は、本体電源スイッチ７のみをオン状態にする、もしくは電波強度確認スイッチ８のみをオン状態にすることで、受信電波強度を表示させるために少なくとも必要なモジュール群に電力を供給し、ＬＥＤ９を用いて受信電波強度を表示する。
【００３２】
他の実施の形態を説明する。
【００３３】
上述した本体電源スイッチ７は、このスイッチをオン状態にした時に無線モジュール１１以外のモジュール群に電力を供給するスイッチとする。さらに、
上述した電波強度確認スイッチ８（操作部）は、前記本体電源スイッチ７がオン状態時には無線モジュール１１のみに電力を供給する無線オンオフスイッチスイッチとして作動し、前記本体電源スイッチ７がオフ状態時には、受信電波強度を表示するために必要なモジュール群に電力を供給するスイッチとする。
【００３４】
前記本体電源スイッチ７がオン状態の場合は、前記電波強度確認スイッチ８を無線機能オンオフスイッチとして使用することで受信電波強度を表示させ、前記本体電源スイッチ７がオフ状態の場合は、前記電波強度確認スイッチ８のみをオン状態にして受信電波強度を表示させることが可能である。
【００３５】
上記の機能が作動するために、ＰＳＣ１４に、前記本体電源スイッチ７をオン状態にした場合、無線モジュール１１以外の受信電波強度を表示させるために少なくとも必要なモジュール群に電力を供給し、さらに前記本体電源スイッチ７をオン状態にした後に前記電波強度確認スイッチ８をオン状態にすることで無線モジュール１１に電力を供給する、かつ、前記本体電源スイッチ７をオフ状態で保持した場合、前記電波強度確認スイッチ８のみをオン状態にして、受信電波強度を表示させるために少なくとも必要なモジュール群に電力を供給する、という機能を設ければよい。
【００３６】
なお、本実施例の情報処理装置１の無線モジュール１１において受信電波強度を検出したが、電波強度を検出する機能を設けるだけではなく、受信電波品質を表すエラーレートもしくは希望信号対干渉妨害信号比等を検出する機能も設けてもよい。これは受信電波強度検出部１８と受信電波強度レベル判定部１９で電波の強度のみらならず品質も検出し、その品質をレベル付けすることで可能である。すると受信電波強度のみならず受信電波品質も表示させることも可能である。
【００３７】
さらに、上述した本実施例の情報処理装置１の無線モジュール１１の受信電波強度レベル判定部１９において、受信電波強度のレベル判定を行なったが、この受信電波強度レベル判定部１９を無線モジュール１１ではなくコントローラ１２に設けることによって本発明と同等の効果を得ることも可能である。
このような構成からなる本実施例の情報処理装置１によれば、この情報処理装置１の使用者が使用環境における受信電波の強弱を判断できるように、受信電波強度レベルつまり無線接続レベルをＬＥＤ９の発光状態変化を通じて通知することができる。
【００３８】
本発明ではその主旨を逸脱しない範囲であれば、上記の実施形態に限定されるものではなく、例えば、携帯電話、ＰＤＡ等の情報処理装置にも適用することが可能である。
【００３９】
【発明の効果】
本発明によれば、受信される電波の強度の判断が容易に可能であるという効果を有する。
【図面の簡単な説明】
【図１】本発明における情報処理装置を表す斜視図。
【図２】本発明におけるハードウェアのシステムブロック図。
【図３】無線モジュール内部のシステムブロック図。
【図４】無線モジュール、コントローラ、ＬＥＤおよびメモリ１との関係を示した図。
【図５】ＬＥＤの発光状態を設定するアプリケーションの初期設定画面。
【図６】ＬＥＤの発光状態を設定するアプリケーションの設定画面例１。
【図７】ＬＥＤの発光状態を設定するアプリケーションの設定画面例２。
【図８】コントローラのレジスタの詳細を示す図。
【図９】発光色設定テーブル。
【図１０】点灯点滅設定テーブル。
【図１１】発光状態設定テーブルの初期設定状態。
【図１２】図６の設定に対応する発光状態設定テーブルの内容。
【図１３】図７の設定に対応する発光状態設定テーブルの内容。
【図１４】本情報処理装置の使用開始から終了までを説明したフローチャート。
【図１５】本体電源スイッチがオン状態時の受信電波強度表示処理を説明したフローチャート。
【図１６】本体スリープ状態時の受信電波強度表示処理を説明したフローチャート。
【図１７】本体電源スイッチがオフ状態時の受信電波強度表示処理を説明したフローチャート。
【図１８】受信電波強度表示を説明したフローチャート。
【符号の説明】
１…情報処理装置、２…ＬＣＤ、３…入力部、４…表示部、
５…アンテナ、６…本体、７…本体電源スイッチ、
８…電波強度確認スイッチ、９…ＬＥＤ、１０…ＣＰＵ、
１１…無線モジュール、１２…コントローラ、１２ａ…レジスタ、
１２ｂ…スイッチ部、１３…メモリ、１４…パワーサプライコントローラ、
１５…入力部コントローラ、１６…グラフィックスコントローラ、
１７…電波送受信部、１８…電波強度検出部、
１９…受信電波強度レベル判定部、２０…信号線、２１…信号線、
２１ａ…スイッチ、２２…信号線、２２ａ…スイッチ、２３…信号線、
２３ａ…スイッチ、２４…赤色ＬＥＤ素子、２５…青色ＬＥＤ素子、
２６…緑色ＬＥＤ素子、２７…アプリケーション、
２８…発光色設定テーブル、２９…点灯点滅設定テーブル、
３０…発光状態設定テーブル
【図１】
2004104630.tif 000003
【図２】
2004104630.tif 000004
【図３】
2004104630.tif 000005
【図４】
2004104630.tif 000006
【図５】
2004104630.tif 000007
【図６】
2004104630.tif 000008
【図７】
2004104630.tif 000009
【図８】
2004104630.tif 000010
【図９】
2004104630.tif 000011
【図１０】
2004104630.tif 000012
【図１１】
2004104630.tif 000013
【図１２】
2004104630.tif 000014
【図１３】
2004104630.tif 000015
【図１４】
2004104630.tif 000016
【図１５】
2004104630.tif 000017
【図１６】
2004104630.tif 000018
【図１７】
2004104630.tif 000019
【図１８】
2004104630.tif 000020